(57)【要約】【課題】  記入の内容を非接触式ＩＣタグの記憶に反映させて、良好な管理を行う。【解決手段】  製造ライン１００の上を流される製品１Ａ、１Ｂ・・・には、それぞれ非接触式ＩＣタグと可逆性感熱表示シートとを積層したシート状部材からなる管理シート２Ａ、２Ｂ・・・が添付される。作業者３は、この管理シート２Ａを見て自分の行う作業内容を確認し、部品庫４から指示された部品５を選択して製品１Ａに装着する。さらに作業が完了すると、作業者３は記入装置６を用いて管理シート２Ａに作業の完了を示す印を記入する。この際、管理シート２Ａへの記入は、記入装置６によりシート状部材の可逆性感熱表示シートに対して行われると共に、非接触式ＩＣタグに対する記憶データの書き換えが行われる。そして、この管理シート２Ａが、アンテナの設けられたゲート７を通過すると、非接触式ＩＣタグの記憶データが読み出されて管理装置８で集計等が行われる。【選択図】        図１ 
2005242469.tif 000002
【特許請求の範囲】
【請求項１】
非接触式ＩＣタグと可逆性感熱表示シートとを積層したシート状部材を用いる管理システムであって、
前記可逆性感熱表示シートへの記入を行う記入装置に前記非接触式ＩＣタグへのデータ書き込み手段を併設し、
前記記入装置による前記可逆性感熱表示シートへの記入と同時に、該記入に準じたデータを形成して前記非接触式ＩＣタグに記憶されたデータの書き換えを行う
ことを特徴とする管理システム。
【請求項２】
請求項１記載の管理システムにおいて、
前記記入装置には、
前記可逆性感熱表示シートに所定の表示を発生させる加熱手段と、
前記非接触式ＩＣタグとの通信手段と、
前記非接触式ＩＣタグの所定部分のデータを書き換える命令を発生する制御手段と
を備える
ことを特徴とする管理システム。
【請求項３】
請求項２記載の管理システムにおいて、
前記可逆性感熱表示シートへの記入を行う位置を複数指定して該位置に対応するデータの設けられた前記非接触式ＩＣタグをそれぞれ設けると共に、
前記記入装置による前記可逆性感熱表示シートへの記入の際に最近傍の前記非接触式ＩＣタグとの通信を行って前記位置のデータが異なるときは前記記入装置による前記可逆性感熱表示シートへの記入を禁止する手段を設ける
ことを特徴とする管理システム。
【請求項４】
請求項３記載の管理システムにおいて、
前記指定された位置の表示を全面発色状態とし、
前記記入装置により前記全面発色の一部を消去して前記記入を行う
ことを特徴とする管理システム。
【請求項５】
請求項１記載の管理システムにおいて、
前記シート状部材の添付された物品の移動経路上にアンテナを設けると共に、
前記アンテナを用いた通信により前記移動経路の所定の区間ごとに前記非接触式ＩＣタグに記憶されたデータの採取を行うデータ採取手段を設ける
ことを特徴とする管理システム。
【請求項６】
請求項５記載の管理システムにおいて、
前記データ採取手段で採取されたデータを用いて前記移動経路上の部品在庫の管理を行う管理手段を設ける
ことを特徴とする管理システム。
【請求項７】
請求項１記載の管理システムにおいて、
前記シート状部材を任意の管理の完了後に回収する回収装置を設け、
前記回収装置には、
前記回収されたシート状部材の前記非接触式ＩＣタグに対する読み出しと任意のデータの書き込みを行ってその動作を確認する確認手段と、
前記動作の確認が行われたときに前記可逆性感熱表示シートの表示を全面消去する消去手段と、
前記動作の確認が不調のときに前記シート状部材を排除する排除手段と、
前記全面消去された可逆性感熱表示シートに任意の表示を形成する加熱印刷手段と、
前記形成される任意の表示に準じたデータを前記非接触式ＩＣタグに記憶させるデータ書き込み手段と
を備える
ことを特徴とする管理システム。
【請求項８】
非接触式ＩＣタグと可逆性感熱表示シートとを積層したシート状部材を用いる管理方法であって、
前記可逆性感熱表示シートへの記入を行う記入装置に前記非接触式ＩＣタグへのデータ書き込み手段が併設され、
前記記入装置による前記可逆性感熱表示シートへの記入と同時に、該記入に準じたデータを形成して前記非接触式ＩＣタグに記憶されたデータの書き換えを行う
ことを特徴とする管理方法。
【請求項９】
請求項８記載の管理方法において、
前記可逆性感熱表示シートへの記入を行う位置を複数指定して該位置に対応するデータの設けられた前記非接触式ＩＣタグをそれぞれ設け、
前記記入装置による前記可逆性感熱表示シートへの記入の際に最近傍の前記非接触式ＩＣタグとの通信を行って前記位置のデータが異なるときは前記記入装置による前記可逆性感熱表示シートへの記入を禁止する
ことを特徴とする管理方法。
【請求項１０】
請求項９記載の管理方法において、
前記指定された位置の表示を全面発色状態とし、
前記記入装置により前記全面発色の一部を消去して前記記入を行う
ことを特徴とする管理方法。
【請求項１１】
請求項８記載の管理方法において、
前記シート状部材の添付された物品の移動経路上にアンテナを設け、
前記アンテナを用いた通信により前記移動経路の所定の区間ごとに前記非接触式ＩＣタグに記憶されたデータの採取を行う
ことを特徴とする管理方法。
【請求項１２】
請求項１１記載の管理方法において、
前記採取されたデータを用いて前記移動経路上の部品在庫の管理を行う
ことを特徴とする管理方法。
【請求項１３】
非接触式ＩＣタグと可逆性感熱表示シートとを積層したシート状部材を用いる管理装置であって、
前記可逆性感熱表示シートへの記入を行う記入装置に前記非接触式ＩＣタグへのデータ書き込み手段を併設して、前記可逆性感熱表示シートへの記入の際に該記入に準じたデータを形成して前記非接触式ＩＣタグに記憶されたデータの書き換えを行うようにし、
前記シート状部材の添付された物品の移動経路上にアンテナを設け、
前記アンテナを用いた通信により前記移動経路の所定の区間ごとに前記非接触式ＩＣタグに記憶されたデータの採取を行うデータ採取手段を設ける
ことを特徴とする管理装置。
【請求項１４】
請求項１３記載の管理装置において、
前記データ採取手段で採取されたデータを用いて前記移動経路上の部品在庫の管理を行う管理手段を設ける
ことを特徴とする管理装置。
【請求項１５】
可逆性感熱表示シートを利用したシート状部材を用いる管理システムに使用される記入装置であって、
前記可逆性感熱表示シートに所定の表示を発生させる加熱手段を備える
ことを特徴とする記入装置。
【請求項１６】
請求項１５記載の記入装置において、
前記可逆性感熱表示シート上の指定された位置の表示を全面発色状態とし、
前記加熱手段により前記全面発色の一部を消去して前記記入を行う
ことを特徴とする記入装置。
【請求項１７】
請求項１５記載の記入装置において、
前記シート状部材には、前記可逆性感熱表示シートに非接触式ＩＣタグがさらに積層されて設けられており、
前記可逆性感熱表示シートに所定の表示を発生させる加熱手段と、
前記非接触式ＩＣタグとの通信手段と、
前記非接触式ＩＣタグの所定部分のデータを書き換える命令を発生する制御手段と
を備える
ことを特徴とする記入装置。
【請求項１８】
請求項１７記載の記入装置において、
前記可逆性感熱表示シートへの記入を行う位置を複数指定して該位置に対応するデータの設けられた前記非接触式ＩＣタグがそれぞれ設けられ、
前記加熱手段による前記可逆性感熱表示シートへの記入の際に最近傍の前記非接触式ＩＣタグとの通信を行って前記位置のデータが異なるときは前記加熱手段による前記可逆性感熱表示シートへの記入を禁止する手段を設ける
ことを特徴とする記入装置。
【発明の詳細な説明】
【技術分野】
【０００１】
本発明は、例えば工業製品の製造工程管理に使用して好適な管理システム、管理方法、管理装置、およびそれに使用する記入装置に関する。詳しくは、非接触式ＩＣタグと可逆性感熱表示シートとを積層したシート状部材を用いて良好な管理が行われるようにしたものである。
【背景技術】
【０００２】
従来の管理システムにおいては、非接触式ＩＣタグと書き換え可能な表示部を用いて、任意の情報を記憶させて表示するものが提案されている（例えば、特許文献１参照。）。
【０００３】
また本願出願人は、先に加熱により発色し、さらにその消去と再発色も可能な可逆性感熱表示シートを使用したシート状部材を発表している（例えば、非特許文献１参照。）。
【０００４】
さらに本願出願人は、このような可逆性感熱表示シートを使用したシート状部材に非接触式ＩＣタグを積層したシート状部材も発表している（例えば、非特許文献２参照。）。
【０００５】
しかしながら、上述の特許文献１および非特許文献１、２に記載された技術は、いずれも本願発明のように、使用者が記入した内容を非接触式ＩＣタグの記憶に反映させるなど、可逆性感熱表示シートへの記入と非接触式ＩＣタグへの記憶を連携させるものではない。
【特許文献１】特開２００２−７３１３８号公報
【非特許文献１】http://www.ricoh.co.jp/tech/52/index.html
【非特許文献２】http://www.ricoh.co.jp/tech/51/index.html
【発明の開示】
【発明が解決しようとする課題】
【０００６】
従来の工業製品の製造工程管理等においては、部品等が正確に装着されたか否かを管理する目的で、手書きの管理シートが用いられている。すなわち、このような管理シートでは、装着される部品の名称、型番等が羅列して記載され、作業者が担当の部品を装着するごとに管理シートの該当部分に装着完了の印をして、その部品の装着が正確に行われたか否かの管理をしている。
【０００７】
ところがこのような管理シートは、部品の名称、型番等の記載に比較的大きな面積が必要とされるために、部品点数の多い製品では膨大な枚数が用いられることになる。そして従来は、製品が完成するとこれらの管理シートは全て不要となり、その都度、膨大な量の紙資源が廃棄されていた。したがって、その紙代と廃棄にかかる経費や、環境等への配慮が問題になっていた。
【０００８】
また、例えば単一の製造ラインで複数の種類の製品を製造する場合や、顧客の注文によるオプション部品を装着して製品を製造する場合においては、上述の管理シートによってその製造工程の作業が指示される。このため、作業内容が製品ごとに変更される場合においては、管理シート上の記載が特に重要視されており、上述の装着完了の印の誤記入が生じないようにするなどの管理の強化も必要とされていた。
【０００９】
このような問題に対して、上述の特許文献１や非特許文献１、２に記載された技術が提案されたものである。しかしながらこれらの文献に記載された技術は、単に従来の紙片による管理シートを、デジタルペーパーや可逆性感熱表示シートに置き換えただけのものであり、そこに設けられる非接触式ＩＣタグについては、例えば作業者が行った作業の結果を、その記入に連携して記憶するようなものではなかった。
【００１０】
この発明はこのような点に鑑みて成されたものであって、使用者が記入した内容を反映した非接触式ＩＣタグの記憶内容と可逆性感熱表示シートへの記入を連携させて、良好な管理を行うことができる管理システム、管理方法等を提案することを目的とするものである。
【課題を解決するための手段】
【００１１】
上記課題を解決し、本発明の目的を達成するため、請求項１の発明は、非接触式ＩＣタグと可逆性感熱表示シートとを積層したシート状部材を用いる管理システムであって、可逆性感熱表示シートへの記入を行う記入装置に非接触式ＩＣタグへのデータ書き込み手段を併設し、記入装置による可逆性感熱表示シートへの記入と同時に、該記入に準じたデータを形成して非接触式ＩＣタグに記憶されたデータの書き換えを行うことにより、記入の内容を非接触式ＩＣタグの記憶に反映させて、良好な管理が行われるようにしたものである。
【００１２】
また、請求項２の発明は、記入装置として、可逆性感熱表示シートに所定の表示を発生させる加熱手段と、非接触式ＩＣタグとの通信手段と、非接触式ＩＣタグの所定部分のデータを書き換える命令を発生する制御手段とを備えることによって、簡単な手段で、記入の内容を非接触式ＩＣタグの記憶に反映させることができるものである。
【００１３】
請求項３の発明は、可逆性感熱表示シートへの記入を行う位置を複数指定して該位置に対応するデータの設けられた非接触式ＩＣタグをそれぞれ設けると共に、記入装置による可逆性感熱表示シートへの記入の際に最近傍の非接触式ＩＣタグとの通信を行って位置のデータが異なるときは記入装置による可逆性感熱表示シートへの記入を禁止する手段を設けることによって、誤記入の発生を良好に防止することができるものである。
【００１４】
請求項４の発明は、指定された位置の表示を全面発色状態とし、記入装置により全面発色の一部を消去して記入を行うことによって、可逆性感熱表示シートへの記入を容易かつ良好に行うことができるものである。
【００１５】
また、請求項５の発明は、シート状部材の添付された物品の移動経路上にアンテナを設けると共に、アンテナを用いた通信により移動経路の所定の区間ごとに非接触式ＩＣタグに記憶されたデータの採取を行うデータ採取手段を設けることによって、管理を良好に行うことができるものである。
【００１６】
請求項６の発明は、データ採取手段で採取されたデータを用いて移動経路上の部品在庫の管理を行う管理手段を設けることによって、特に部品在庫の管理を良好に行うことができるものである。
【００１７】
請求項７の発明は、シート状部材を任意の管理の完了後に回収する回収装置を設け、回収装置には、回収されたシート状部材の非接触式ＩＣタグに対する読み出しと任意のデータの書き込みを行ってその動作を確認する確認手段と、動作の確認が行われたときに可逆性感熱表示シートの表示を全面消去する消去手段と、動作の確認が不調のときにシート状部材を排除する排除手段と、全面消去された可逆性感熱表示シートに任意の表示を形成する加熱印刷手段と、形成される任意の表示に準じたデータを非接触式ＩＣタグに記憶させるデータ書き込み手段とを備えることによって、シート状部材のリサイクルを良好に行うことができるものである。
【００１８】
さらに請求項８の発明は、非接触式ＩＣタグと可逆性感熱表示シートとを積層したシート状部材を用いる管理方法であって、可逆性感熱表示シートへの記入を行う記入装置に非接触式ＩＣタグへのデータ書き込み手段が併設され、記入装置による可逆性感熱表示シートへの記入と同時に、該記入に準じたデータを形成して非接触式ＩＣタグに記憶されたデータの書き換えを行うことにより、記入の内容を非接触式ＩＣタグの記憶に反映させて、良好な管理が行われるようにしたものである。
【００１９】
また、請求項９の発明は、可逆性感熱表示シートへの記入を行う位置を複数指定して該位置に対応するデータの設けられた非接触式ＩＣタグをそれぞれ設け、記入装置による可逆性感熱表示シートへの記入の際に最近傍の非接触式ＩＣタグとの通信を行って位置のデータが異なるときは記入装置による可逆性感熱表示シートへの記入を禁止することによって、誤記入の発生を良好に防止することができるものである。
【００２０】
請求項１０の発明は、指定された位置の表示を全面発色状態とし、記入装置により全面発色の一部を消去して記入を行うことによって、可逆性感熱表示シートへの記入を容易且つ良好に行うことができるものである。
【００２１】
請求項１１の発明は、シート状部材の添付された物品の移動経路上にアンテナを設け、アンテナを用いた通信により移動経路の所定の区間ごとに非接触式ＩＣタグに記憶されたデータの採取を行うことによって、管理を良好に行うことができるものである。
【００２２】
請求項１２の発明は、採取されたデータを用いて移動経路上の部品在庫の管理を行うことによって、特に部品在庫の管理を良好に行うことができるものである。
【００２３】
さらに請求項１３の発明は、非接触式ＩＣタグと可逆性感熱表示シートとを積層したシート状部材を用いる管理装置であって、可逆性感熱表示シートへの記入を行う記入装置に非接触式ＩＣタグへのデータ書き込み手段を併設して、可逆性感熱表示シートへの記入の際に該記入に準じたデータを形成して非接触式ＩＣタグに記憶されたデータの書き換えを行うようにし、シート状部材の添付された物品の移動経路上にアンテナを設け、アンテナを用いた通信により移動経路の所定の区間ごとに非接触式ＩＣタグに記憶されたデータの採取を行うデータ採取手段を設けることによって、記入の内容を非接触式ＩＣタグの記憶に反映させて、良好な管理が行われるようにしたものである。
【００２４】
また、請求項１４の発明は、データ採取手段で採取されたデータを用いて移動経路上の部品在庫の管理を行う管理手段を設けることによって、特に部品在庫の管理を良好に行うことができるものである。
【００２５】
さらに請求項１５の発明は、可逆性感熱表示シートを利用したシート状部材を用いる管理システムに使用される記入装置であって、可逆性感熱表示シートに所定の表示を発生させる加熱手段を備えることによって、可逆性感熱表示シートへの記入を容易に行うことができるものである。
【００２６】
また、請求項１６の発明は、可逆性感熱表示シート上の指定された位置の表示を全面発色状態とし、加熱手段により全面発色の一部を消去して記入を行うことによって、可逆性感熱表示シートへの記入を容易且つ良好に行うことができるものである。
【００２７】
請求項１７の発明は、シート状部材には、可逆性感熱表示シートに非接触式ＩＣタグがさらに積層されて設けられており、可逆性感熱表示シートに所定の表示を発生させる加熱手段と、非接触式ＩＣタグとの通信手段と、非接触式ＩＣタグの所定部分のデータを書き換える命令を発生する制御手段とを備えることにより、記入の内容を非接触式ＩＣタグの記憶に反映させて、良好な管理が行われるようにしたものである。
【００２８】
請求項１８の発明は、可逆性感熱表示シートへの記入を行う位置を複数指定して該位置に対応するデータの設けられた非接触式ＩＣタグがそれぞれ設けられ、加熱手段による可逆性感熱表示シートへの記入の際に最近傍の非接触式ＩＣタグとの通信を行って位置のデータが異なるときは加熱手段による可逆性感熱表示シートへの記入を禁止する手段を設けることによって、誤記入の発生を良好に防止することができるものである。
【発明の効果】
【００２９】
以上説明したように、本発明は、可逆性感熱表示シートへの記入を行う記入装置に非接触式ＩＣタグへのデータ書き込み手段を併設し、記入装置による可逆性感熱表示シートへの記入と同時に、該記入に準じたデータを形成して非接触式ＩＣタグに記憶されたデータの書き換えを行うようにしたものであって、本発明によれば、記入の内容を非接触式ＩＣタグの記憶に反映させて、良好な管理を行うことができる。
【発明を実施するための最良の形態】
【００３０】
以下、図面を参照して本発明を説明するに、図１は本発明による管理システム、管理方法、管理装置、およびそれに使用する記入装置を適用した任意の製品の製造ラインの要部の一実施形態の構成を示す構成図である。
【００３１】
図１において、例えば製造ライン１００の上を、順次製品１Ａ、１Ｂ・・・が流されてくる。これらの製品１Ａ、１Ｂ・・・には、それぞれ管理シート２Ａ、２Ｂ・・・が添付されている。ここでこれらの管理シート２Ａ、２Ｂ・・・としては、上述の非特許文献１および２に示すような非接触式ＩＣタグと可逆性感熱表示シートとを積層したシート状部材が用いられる。
【００３２】
そして、例えば製品１Ａが作業者３の前に到来すると、作業者３は管理シート２Ａを見て自分の行う作業内容を確認し、例えば部品庫４から指示された部品５を選択して製品１Ａに装着する。さらに作業が完了すると、作業者３は記入装置６を用いて管理シート２Ａに作業の完了を示す印を記入する。この際、管理シート２Ａへの記入は、例えば後述する記入装置６により、シート状部材の可逆性感熱表示シートに対して行われると共に、それと同時に非接触式ＩＣタグに対する記憶データの書き換えが行われる。
【００３３】
また、このような管理シート２Ａへの記入の行われた製品１Ａが、非接触式ＩＣタグとの通信を行うアンテナの設けられたゲート７を通過すると、非接触式ＩＣタグの記憶データが通信によって読み出される。そしてこのデータが、コンピュータ等からなる管理装置８に供給されて集計等が行われる。これにより、例えば部品庫４における部品５の在庫の管理や、各製品１Ａ、１Ｂ・・・の製造の進捗状況の確認管理なども行うことができる。
【００３４】
さらに図２には、上述した記入装置６の具体的な実施形態を示す。この図２において、記入装置６には、管理シート２の可逆性感熱表示シート１１に印字を行うための所定の印面を有する加熱印字部材２１と、非接触式ＩＣタグ１２との通信を行う通信手段２２が設けられる。また通信手段２２には、通信を行う際に用いられる内蔵アンテナ２３が設けられる。そして電池２０が内蔵され、この電池２０からの電力が通信手段２２に供給されると共に、スイッチ２４を介して加熱印字部材２１に供給される。
【００３５】
さらにこの記入装置６は、例えば２重筒の構造を持ち、その内部筒２５の中に上述の電池２０、加熱印字部材２１、通信手段２２、内蔵アンテナ２３、スイッチ２４等の電気回路が設けられる。また、外部筒２６が、図示しない偏倚手段により内部筒２５から突出するように配置されると共に、この外部筒２６の摺動によってスイッチ２４のオンオフが制御される仕組み（図示せず）になっている。なおこれらの２重筒の構造や、筒体の摺動によるスイッチ制御の仕組みは、周知の技術で実施される。
【００３６】
そしてこのような記入装置６が、外部筒２６の偏倚力に抗して押し下げられることにより、加熱印字部材２１の印面が管理シート２の可逆性感熱表示シート１１に接触され、それと共に、スイッチ２４がオンされて加熱印字部材２１への通電が行われる。これによって、加熱印字部材２１の印面に形成された図形が、管理シート２の可逆性感熱表示シート１１に印字される。また、通信手段２２による管理シート２の非接触式ＩＣタグ１２との通信が行われて、非接触式ＩＣタグ１２の記憶データが書き換えられる。
【００３７】
そこで図３には、管理シート２の実施形態を示す。まず、図３のＡに、作業が行われる前の管理シート２の状態を示し、ここでは作業１−１として部品Ａを１個装着し、作業１−２として部品Ｂを２個装着し、作業１−３として部品Ｃを１個装着するとなっている。そしてこれらの作業１−１〜３が完了されると、それぞれ図３のＢに示すように●が完了印の欄に記入される。
【００３８】
すなわちこの場合には、記入装置６の加熱印字部材２１の印面に●の図形が設けられ、この記入装置６が管理シート２の所定部に押圧されることにより、管理シート２の所定部に●が表示される。それと共に、通信手段２２と非接触式ＩＣタグ１２との通信が行われて、非接触式ＩＣタグ１２の記憶データが書き換えられる。この場合には、可逆性感熱表示シート１１の表示と同一内容の記憶された作業および部品のデータの中から、作業１−１〜３の記憶が削除される。
【００３９】
このようにして、管理シート２の可逆性感熱表示シート１１に完了された作業を示す印が表示されると共に、非接触式ＩＣタグ１２の記憶データが書き換えられて、可逆性感熱表示シート１１に表示された内容が反映される。そしてさらに、この書き換えられた非接触式ＩＣタグ１２の記憶データが、製品１Ａ、１Ｂ・・・のゲート７の通過の際に読み出されて管理装置８に供給される。これにより、例えば部品庫４における部品５の在庫の管理や各製品１Ａ、１Ｂ・・・の製造の進捗状況の確認管理などが行われる。
【００４０】
すなわち、上述の非接触式ＩＣタグ１２から読み出されたデータにより、例えば作業１−１〜３で使用された部品Ａ〜Ｃの各個数（１個、２個、１個）を把握することができ、この個数を集計して部品庫４における部品Ａ〜Ｃの在庫が不足する事態を予測して、部品メーカへの発注等の管理を行うことができる。また、各製品１Ａ、１Ｂ・・・の製造の進捗状況の確認管理も行うことができる。
【００４１】
ところで、上述の記入装置６の加熱印字部材２１により管理シート２の可逆性感熱表示シート１１に印字を行う場合には、通常は図４のＡに示すように、白地に対して任意の発色により印を形成することが考えられる。ところが、上述の非特許文献１に開示されたサーマルペーパーでは、発色に当っては高温に加熱した後に急冷等の特殊な処理が必要とされる。これに対して発色した部分を消去する場合は、発色時より低い温度で行うことができ、かつ、事後の処理も必要とされない。
【００４２】
そこで、例えば図４のＢに示すように、管理シート２の可逆性感熱表示シート１１の所定の領域を予め黒等の発色状態としておき、記入装置６の加熱印字部材２１を用いて任意の図形、例えば「済」の文字等の形に消去して印とすることができる。これによれば、記入装置６に冷却等の特殊な構成を必要とせず、また加熱印字部材２１も下げられるので全体的な消費エネルギーを減らすことができ、例えば図２に示すような電池駆動の装置も可能となる。
【００４３】
図５は、図４のＢに開示した方式による管理シート２の実施形態を示したものである。図５のＡには、図３のＡと同様の作業が行われる前の管理シート２の状態、すなわち、完了印の欄の部分が予め黒等に発色された管理シート２が示されている。また、記入装置６の加熱印字部材２１の印面に●の図形が設けられる。そして、記入装置６が管理シート２の所定部に押圧されることにより、管理シート２の所定部に図５のＢに示すような○が、いわゆる白抜きで表示される。
【００４４】
これによって、例えば作業１−１〜３が完了したことが白抜きで表示される。それと共に、図３のＢの場合と同様に、通信手段２２と非接触式ＩＣタグ１２との通信が行われ、非接触式ＩＣタグ１２の記憶データが書き換えられて、作業１−１〜３の記憶が削除される。さらに、書き換えられた非接触式ＩＣタグ１２の記憶データが、ゲート７の通過の際に読み出されて管理装置８に供給され、作業１−１〜３に係わる部品庫４における部品５の在庫の管理や各製品１Ａ、１Ｂ・・・の製造の進捗状況の確認管理などが行われる。
【００４５】
また、図６には、図４のＢに開示した方式による管理シート２の他の実施形態が示される。すなわち図６のＡは、図３のＡと同様の作業が行われる前の管理シート２の状態を示している。ただし、ここではこの場合の管理シート２には完了印の欄が設けられていない。この実施形態においては、記入装置６の加熱印字部材２１としてローラー型の加熱部材が設けられ、このローラー型の加熱部材が管理シート２の所定部を転がされることにより、図６のＢに示すように管理シート２の所定部の表示が消去される。
【００４６】
これによって、例えば作業１−１〜３の完了が示される。それと共に、図３のＢの場合と同様に、通信手段２２と非接触式ＩＣタグ１２との通信が行われ、非接触式ＩＣタグ１２の記憶データが書き換えられて、作業１−１〜３の記憶が削除される。さらに、書き換えられた非接触式ＩＣタグ１２の記憶データが、ゲート７の通過の際に読み出されて管理装置８に供給され、作業１−１〜３に係わる部品庫４における部品５の在庫の管理や各製品１Ａ、１Ｂ・・・の製造の進捗状況の確認管理などが行われる。
【００４７】
このようにして、記入装置６を用いて管理シート２の可逆性感熱表示シート１１への記入が行われ、同時に管理シート２の非接触式ＩＣタグ１２の記憶データの書き換えが行われる。これにより、人間は管理シート２の記入を見て作業の状況を把握することができると共に、非接触式ＩＣタグ１２の記憶データを、例えばゲート７の通過の際に読み出して管理装置８で把握することにより、部品在庫の管理や各製品製造の進捗状況の確認管理などを容易に行うことが可能になる。
【００４８】
本発明の各実施の形態においては、可逆性感熱表示シートへの記入を行う記入装置に非接触式ＩＣタグへのデータ書き込み手段を併設し、記入装置による可逆性感熱表示シートへの記入と同時に、該記入に準じたデータを形成して非接触式ＩＣタグに記憶されたデータの書き換えを行うようにしたことにより、記入の内容を非接触式ＩＣタグの記憶に反映させて、良好な管理を行うことができる。
【００４９】
次に、本発明の実施の形態に用いられる管理シート２をリサイクルする方法および装置について、図７に基づいて説明する。図７は、管理シート２をリサイクルするための回収装置(プリンタ装置)の実施形態を示したものである。すなわち上述の管理システムにおいては、管理シート２に記載された作業が全て完了された場合に、その管理シート２を回収しリサイクルすることができる。そこで回収された管理シート２は、例えば図７のＡまたはＢに示すような回収装置(プリンタ装置)１００に投入される。
【００５０】
まず、図７のＡに示すように、回収されて入り側から投入された管理シート２は、最初に搬送ロール１０１で姿勢が整えられた後、非接触式ＩＣタグ１２に記憶された記憶データの書き換えを行うＲＦＩＤ書き換え機１０２の前面に移送される。ここでＲＦＩＤ書き換え機１０２は、管理シート２の非接触式ＩＣタグ１２との通信を行い、前に記憶されたデータを消去すると共に新たなデータの書き込みを行う。またこのとき、非接触式ＩＣタグ１２が正常に機能しているか否かのチェックを行い、不良のときは後述するようにそれを判断する。
【００５１】
さらに、管理シート２はセラミックヒーターバー１０３の前面に移送されて、可逆性感熱表示シート１１上の以前の印字が消去される。その後、管理シート２はサーマルヘッド１０４とローラー１０５に挟持された状態で、サーマルヘッド１０４により可逆性感熱表示シート１１上に新たなデータに従った表示が印字される。そして、非接触式ＩＣタグ１２に新たなデータが書き込まれ、可逆性感熱表示シート１１上に新たなデータに従った印字のされた管理シート２が出側に取り出される。
【００５２】
また、図７のＢに示すように、回収されて入り側に投入された管理シート２は、最初に非接触式ＩＣタグ１２に記憶された記憶データの書き換えを行うＲＦＩＤ書き換え機１０２の前面に移送されて、前に記憶されたデータの消去と、新たなデータの書き込みが行われる。また、このとき非接触式ＩＣタグ１２の機能がチェックされ、不良のときはそれが判断される。さらに管理シート２は、熱ロール１０６に挟持されて、可逆性感熱表示シート１１上の以前の印字が消去される。
【００５３】
その後、管理シート２は、搬送ロール１０７で移送方向が反転されると共に、姿勢が整えられ、さらにサーマルヘッド１０４とローラー１０５に挟持された状態で、サーマルヘッド１０４により可逆性感熱表示シート１１上に新たなデータに従った表示が印字される。そして、非接触式ＩＣタグ１２に新たなデータが書き込まれ、可逆性感熱表示シート１１上に新たなデータに従った印字のされた管理シート２が出側に取り出される。なお、この図７のＢの実施形態は、回収装置(プリンタ装置)１００をコンパクトに設計することを意図している。
【００５４】
また、上述のＲＦＩＤ書き換え機１０２による非接触式ＩＣタグ１２の機能のチェックで不良と判断された場合は、管理シート２をその場から排出するか、サーマルヘッド１０４により、可逆性感熱表示シート１１上に不良であることを示す表示が印字される。
【００５５】
このようにして、上述の管理システムにおいては、使用済みの管理シート２のリサイクルを行うことができる。したがって、本発明の管理システムによれば、従来から問題とされていた膨大な量の紙資源を廃棄するための経費の問題や、環境への配慮等の問題も良好に解決されるものである。
【００５６】
また、図８および図９は、本発明の管理システムと管理シート２の他の用途を示すものである。すなわちこの用途では、管理シート２を配送伝票として利用している。そしてこの用途においても、配送完了時に、可逆性感熱表示シート１１上に完了を示す印（×印）を記入 (図８)、あるいは印字を消去 (図９)するのと同時に、非接触式ＩＣタグ１２の記憶データを書き替えることによって、作業者が目で見て確認できると共に、非接触式ＩＣタグ１２の記憶データを読み出して、管理装置(図示せず)による管理を行うことができる。
【００５７】
なお、図８における×印の記入は、例えば記入装置６の加熱印字部材２１としてペン状の加熱部材を設け、その加熱部材で×印を描くことによって行われる。また、図９における印字の消去は、図６の説明で述べたように、記入装置６の加熱印字部材２１としてローラー型の加熱部材を設けて行うことができる。また、これらの記入装置６には、電池２０、通信手段２２、内蔵アンテナ２３、スイッチ２４等の電気回路が併設される。
【００５８】
さらに、上述のシステムにおいては、１枚の管理シート２を分割して、それぞれの部分を独立に管理することができる。図１０および図１１はそのような管理を行う場合の構成を示すものである。
【００５９】
すなわち図１０においては、可逆性感熱表示シート１１の表面に、ハッチングを異ならせて示すように、地模様として色彩若しくは任意の色彩の濃さの異なる範囲１１Ａ、１１Ｂ、１１Ｃを設ける。そして記入装置６に、それらの色彩若しくは濃さの感知手段２７を設けて、この感知手段２７からの情報が制御機能を持つ通信手段２２に供給されるようにする。
【００６０】
これにより通信手段２２は、例えば非接触式ＩＣタグ１２との通信で得られる管理シート２のＩＤと、感知手段２７からの情報によって対向している範囲が正しいものであるか否かを判断することができる。そしてこれが誤っているときは、制御機能を持つ通信手段２２によって、例えばスイッチ２４をオフ制御して、可逆性感熱表示シート１１への誤記入を防止することができる。
【００６１】
また、図１１においては、分割される範囲ごとに独立した非接触式ＩＣタグ１２Ａ、１２Ｂ、１２Ｃを設け、これらと制御機能を持つ通信手段２２との通信によって、対向している範囲が正しいものであるか否かを判断することができる。なお、非接触式ＩＣタグ１２Ａ、１２Ｂ、１２Ｃと通信手段２２との通信は、最近傍のものとの間でのみ成立し、他との通信は行われないものである。
【００６２】
すなわち、これらの図１０、図１１の実施形態によれば、作業者が誤った範囲に作業完了の記入を行って、作業漏れが生じるなどの恐れを解消することができ、作業の管理をきわめて良好に行うことができる。また、図１〜図９の実施形態においても、例えば管理シート２のＩＤの判断し、同様のスイッチ２４の制御を行うことにより、管理シート２単位での誤記入の防止を行うことができる。
【００６３】
こうして本発明の管理システムによれば、非接触式ＩＣタグと可逆性感熱表示シートとを積層したシート状部材を用いると共に、可逆性感熱表示シートへの記入を行う記入装置に非接触式ＩＣタグへのデータ書き込み手段を併設し、記入装置による可逆性感熱表示シートへの記入と同時に、該記入に準じたデータを形成して非接触式ＩＣタグに記憶されたデータの書き換えを行うことにより、記入の内容を非接触式ＩＣタグの記憶に反映させて、良好な管理を行うことができる。
【００６４】
また、本発明の管理方法によれば、非接触式ＩＣタグと可逆性感熱表示シートとを積層したシート状部材を用いると共に、可逆性感熱表示シートへの記入を行う記入装置に非接触式ＩＣタグへのデータ書き込み手段が併設され、記入装置による可逆性感熱表示シートへの記入と同時に、該記入に準じたデータを形成して非接触式ＩＣタグに記憶されたデータの書き換えを行うことにより、記入の内容を非接触式ＩＣタグの記憶に反映させて、良好な管理を行うことができる。
【００６５】
さらに本発明の管理装置によれば、非接触式ＩＣタグと可逆性感熱表示シートとを積層したシート状部材を用いると共に、可逆性感熱表示シートへの記入を行う記入装置に非接触式ＩＣタグへのデータ書き込み手段を併設して、可逆性感熱表示シートへの記入の際に該記入に準じたデータを形成して非接触式ＩＣタグに記憶されたデータの書き換えを行うようにし、シート状部材の添付された物品の移動経路上にアンテナを設け、アンテナを用いた通信により移動経路の所定の区間ごとに非接触式ＩＣタグに記憶されたデータの採取を行うデータ採取手段を設けることによって、記入の内容を非接触式ＩＣタグの記憶に反映させて、良好な管理を行うことができる。
【００６６】
また、本発明の記入装置によれば、非接触式ＩＣタグと可逆性感熱表示シートとを積層したシート状部材を用いる管理システムに使用され、可逆性感熱表示シートに所定の表示を発生させる加熱手段を備えることによって、可逆性感熱表示シートへの記入を容易に行うことができる。
【００６７】
なお本発明は、上述の説明した実施形態に限定されるものではなく、特許請求の範囲の記載および本発明の精神を逸脱しない範囲で種々の変形が可能とされるものである。
【図面の簡単な説明】
【００６８】
【図１】本発明による管理システム、管理方法、管理装置を適用した任意の製品の製造ラインの要部の一実施形態の構成を示す構成図である。
【図２】本発明による管理シートおよび記入装置の一実施形態の構成を示す構成図である。
【図３】本発明の説明のための図である。
【図４】本発明の説明のための図である。
【図５】本発明の説明のための図である。
【図６】本発明の説明のための図である。
【図７】本発明に使用する回収装置(プリンタ装置)の説明のための図である。
【図８】本発明の他の用途の説明のための図である。
【図９】本発明の他の用途の説明のための図である。
【図１０】本発明のさらに他の実施形態の説明のための図である。
【図１１】本発明のさらに他の実施形態の説明のための図である。
【符号の説明】
【００６９】
１Ａ，１Ｂ…製品、２Ａ，２Ｂ…管理シート、３…作業者、４…部品庫、５…部品、６…記入装置、７…ゲート、８…管理装置、１００…製造ライン１００
【図１】
2005242469.tif 000003
【図２】
2005242469.tif 000004
【図３】
2005242469.tif 000005
【図４】
2005242469.tif 000006
【図５】
2005242469.tif 000007
【図６】
2005242469.tif 000008
【図７】
2005242469.tif 000009
【図８】
2005242469.tif 000010
【図９】
2005242469.tif 000011
【図１０】
2005242469.tif 000012
【図１１】
2005242469.tif 000013